(57)【要約】      （修正有）【課題】厚さの不均質性による濃淡や欠損などのグラデーション模様が、照明カバーを形成する和紙に偶然性をもって生成された、芸術性の高い照明カバー及びこれを用いた行燈およびその製造方法を提供する。【解決手段】本発明の照明カバー２は、プラスチック製の柔軟性格子材や竹材で形成された格子状構造体の表面及び／又は裏面に、厚さが不均一となるように和紙２０が漉かれて形成された照明カバー２であって、格子状構造体の表面及び／又は裏面に漉かれた和紙２０の厚さがランダムに変化する。あるいは、この和紙２０の厚さがランダムに変化するとともに、厚さ０となる和紙欠損部２２が透光口として散在してもよい。【選択図】図１（ａ）
2019029242.tif 000002
【特許請求の範囲】
【請求項１】
格子状構造体の表面及び／又は裏面に、厚さが不均一となるように和紙が漉かれて形成された照明カバーであって、
前記格子状構造体の表面及び／又は裏面に漉かれた和紙の厚さがランダムに変化することを特徴とする照明カバー。
【請求項２】
請求項１に記載の照明カバーにおいて、
前記格子状構造体の表面及び／又は裏面に漉かれた和紙の厚さがランダムに変化するとともに、厚さ０となる和紙欠損部が透光口として散在することを特徴とする照明カバー。
【請求項３】
前記格子状構造体は、プラスチック製の柔軟性格子材で形成された、請求項１又は２に記載の照明カバー。
【請求項４】
前記格子状構造体は、竹材が格子状に組まれて形成された、請求項１又は２に記載の照明カバー。
【請求項５】
請求項１乃至４のいずれか１項に記載の照明カバーの内部に、１又は複数の照明具が設置され、
前記照明カバーにおいて、前記格子状構造体の表面及び／又は裏面に漉かれた和紙の厚さがランダムに変化することを特徴とする行燈。
【請求項６】
前記格子状構造体の表面及び／又は裏面に漉かれた和紙の厚さがランダムに変化するとともに、厚さ０となる和紙欠損部が透光口として前記照明カバーに散在することを特徴とする請求項５に記載の行燈。
【請求項７】
前記１又は複数の照明具は土台に載置された１又は複数のＬＥＤ電球であり、
該１又は複数のＬＥＤ電球を覆って前記照明カバーを該土台に載置して構成した、請求項５又は６に記載の行燈。
【請求項８】
（１）格子状構造体を準備するステップと、
（２）和紙の原料繊維が打解されて水中に遊離分散された容器を準備するステップと、
（３）前記格子状構造体を前記容器の水中に潜らせ、該水中に遊離分散された前記原料繊維を少なくとも２回掬って、前記格子状構造体の表面及び／又は裏面に和紙を漉くステップと、
（４）前記格子状構造体の表面及び／又は裏面に漉かれた和紙を乾燥させるステップと、
を含む、照明カバーの製造方法。
【請求項９】
（１）格子状構造体を準備するステップは、
（１−１）プラスチック製の柔軟性格子材又は竹材を準備するステップと、
（１−２）前記柔軟性格子材又は竹材を用いて格子状構造体を形成するステップと、
を含む、請求項８に記載の照明カバーの製造方法。
【請求項１０】
（１）照明具を準備するステップと、
（２）請求項８に記載の照明カバーを準備するステップと、
（３）前記照明カバーの内部に照明具を設置するするステップと、
を含む、行燈の製造方法。
【発明の詳細な説明】
【技術分野】
【０００１】
本発明は、和紙を漉いて形成した照明カバーとこれを用いた行燈、及び、これらの製造方法に関する。
【背景技術】
【０００２】
火袋に和紙を用いて和風にした行燈型や提灯型照明具が種々考案されている。和紙の裏面側にポジフィルム写真を配置してその画像が点灯時に看取できる行燈型照明器具（特許文献１）や、内火袋やこれを収容する外火袋に透光口を所要数設けて特徴的な外観・風情を生む提灯（特許文献２）など、柔らかな灯りや光を利用した意匠を表現した照明具が多数開示されている。
【０００３】
しかし、これらの考案に係る照明具は、従来の行燈や提灯の骨組みをそのまま継承しており、形状にはこれといった工夫はみられない。
【０００４】
特許文献３は、「紙漉きにより製造された和紙を所定の形状に裁断し、裁断した和紙を組み立てて和紙製の骨組みを形成し、更に、骨組みに和紙を張り合わせることによって形成された和紙製品」に係る考案を開示し、提灯や照明カバー等の和紙製品を提供している。特許文献３の考案によれば、骨組みを和紙によって作成することで自由な形状を選択し、骨組みに張り合わせる和紙と一体化した優れたデザイン性の和紙製品を形成できるが、張り合わせる和紙は従来の和紙を用いており、その形状と一体性に特徴を有している。
【０００５】
このような火袋に用いられる和紙は、手漉きや機械漉きにより生産され、従来より多くの手法により種々の和紙が提案されている。例えば、その装飾性を向上させるために竹炭微粉末や細かいシルク片、あるいは粉砕した皮革などの他素材を混入したり（特許文献４、５、６）、ドライフラワーや他の種々の素材を挟み込んだりするもの、透かし模様を施す（特許文献７）などの工夫がされているものもある。
【０００６】
しかし、特許文献４〜６の方法では、和紙全体の外観としての模様等は期待できず、また、特許文献７に係る和紙の透かし模様は、漉かれた和紙に準備された当該模様の凹部を形成するもので、和紙の厚さとしては２段階あるのみである。このように、これらの方法では、模様や形状に自由度が無いため、特許文献８は、漉かれた繊維素材のみで、従来の和紙では表現しえない模様・形状やグラデーションを表出した装飾用の抄紙シート材を開示している。
【０００７】
すなわち、特許文献８に係る抄紙シート材は、比較的長寸の繊維素材を粗目に漉いて形成された抄紙シート基材に、当該抄紙シート基材に粗目に漉かれた長寸繊維素材よりも短寸の繊維素材を長寸繊維素材の隙間に絡ませて所定形状の付加部を設けることにより、当該抄紙シート基材のみの粗部分に対して付加部による密部分を形成し、当該密部分は、複数の密度が異なる部分を施しており、前記抄紙シート基材のみによる粗部分と複数の密度が異なる密部分との組み合わせによって、前記抄紙シート基材に全体として濃淡を有する模様などをグラデーション状に構成したものである。しかし、この特許文献８に係る方法は、所定の模様を表現する手法であり、何段階もの工程を経る必要があるので手間がかかる。
【０００８】
また、特許文献として挙がらない伝統手法による和紙として、漉いた直後に水滴を噴霧上に落とし、あるいは、水の動きで様々な模様を生成する、落水紙といわれる和紙も製造されている。この落水紙では、水滴のかかり具合や動きなどの偶然性が模様の生成工程に加味され、意図的な模様を生成するものではないが、自然の美を創出することができる。
【０００９】
【特許文献１】実公平７−２０８０４号公報
【特許文献２】特開２００９−１３５０４１号公報
【特許文献３】特開２０１１−２４９２８８号公報
【特許文献４】特開２００５−３０７３８５号公報
【特許文献５】特開２００２−３０５９３号公報
【特許文献６】特開２００７−２６２６３８号公報
【特許文献７】特許第４８５１３９１号
【特許文献８】特開２０１６−１７６１５４号公報
【発明の概要】
【発明が解決しようとする課題】
【００１０】
伝統的に、提灯や行灯などの照明具やその他の用途に用いられる和紙は、基本的に均質性や整然性が追及され、そのような均質な和紙に上記のような様々な技術により挟み込みや透かしなどの模様が計画的、意図的に挿入され、上記落水紙のような偶然性の要素が入る不均質な和紙は例外的であった。
【００１１】
本発明は、厚さの不均質性による濃淡や欠損などのグラデーション模様が、照明カバーを形成する和紙に偶然性をもって生成された、芸術性の高い照明カバー及びこれを用いた行燈の製造方法を提供する。
【課題を解決するための手段】
【００１２】
本発明に係る照明カバーは、格子状構造体の表面及び／又は裏面に、厚さが不均一となるように和紙が漉かれて形成された照明カバーであって、
前記格子状構造体の表面及び／又は裏面に漉かれた和紙の厚さがランダムに変化することを特徴とする。
【００１３】
本発明に係る照明カバーは、前記格子状構造体の表面及び／又は裏面に漉かれた和紙の厚さがランダムに変化するとともに、厚さ０となる和紙欠損部が透光口として散在することを特徴とする。
【００１４】
本発明に係る照明カバーにおいて、前記格子状構造体は、プラスチック製の柔軟性格子材で形成される。
【００１５】
本発明に係る照明カバーにおいて、前記格子状構造体は、竹材が格子状に組まれて形成される。
【００１６】
本発明に係る行燈は、上記照明カバーの内部に１又は複数の照明具が設置され、前記照明カバーにおいて、前記格子状構造体の表面及び／又は裏面に漉かれた和紙の厚さがランダムに変化することを特徴とする。
【００１７】
本発明に係る行燈は、前記格子状構造体の表面及び／又は裏面に漉かれた和紙の厚さがランダムに変化するとともに、厚さ０となる和紙欠損部が透光口として前記照明カバーに散在することを特徴とする。
【００１８】
本発明に係る行燈において、前記１又は複数の照明具は土台に載置された１又は複数のＬＥＤ電球であり、該１又は複数のＬＥＤ電球を覆って前記照明カバーを該土台に載置して構成した。
【００１９】
本発明に係る照明カバーの製造方法は、
（１）格子状構造体を準備するステップと、
（２）和紙の原料繊維が打解されて水中に遊離分散された容器を準備するステップと、
（３）前記格子状構造体を前記容器の水中に潜らせ、該水中に遊離分散された前記原料繊維を少なくとも２回掬って、前記格子状構造体の表面及び／又は裏面に和紙を漉くステップと、
（４）前記格子状構造体の表面及び／又は裏面に漉かれた和紙を乾燥させるステップと、
を含む。
【００２０】
本発明に係る照明カバーの製造方法において、
（１）格子状構造体を準備するステップは、
（１−１）プラスチック製の柔軟性格子材又は竹材を準備するステップと、
（１−２）前記柔軟性格子材又は竹材を用いて格子状構造体を形成するステップと、
を含む。
【００２１】
本発明に係る行燈の製造方法は、
（１）照明具を準備するステップと、
（２）上記照明カバーを準備するステップと、
（３）前記照明カバーの内部に照明具を設置するするステップと、
を含む。
【発明の効果】
【００２２】
本発明に係る照明カバーは、格子状構造体を、紙の原料繊維を水中に遊離分散させた容器の水中に潜らせ、この原料繊維を自由に数回掬って、その表面及び／又は裏面に和紙を漉くため、和紙の厚さが特に格子穴で不均一となる。このため和紙の厚さがランダムに変化して、自然なグラデーション模様を自動的に創出することができる。
【００２３】
格子状構造体による原料繊維の掬い方に変化を与えることで、製造ごとに異なる趣を持ったグラデーション模様の照明カバーを製造することができ、和紙の厚さが０となる和紙欠損部を生成させることもできる。この和紙欠損部は、照明具に照明カバーを被せて行燈を構成した際に透光口として機能し、グラデーション模様による自然な強弱に加えて照明にアクセントや意外性等を付加することができる。
【００２４】
照明カバーを構成する格子状構造体は、竹材や市販の柔軟性格子材などを組み合わせて、自由な形状に組み立てることができ、載置型、吊り下げ型、取り付け型など、種々の創作が可能である。また、照明具の選択も自由で、色や強さの変化する照明具を用い、あるいはこれらを組み合わせることにより、多様な照明を楽しむことができる。
【００２５】
この様な本発明に係る照明カバー及び行燈は、安価な材料を用いて短時間で簡単に作ることができ、様々な形状、模様の芸術性に富んだ作品を手軽に作ることができる。
【図面の簡単な説明】
【００２６】
【図１（ａ）】本発明の実施形態に係る行燈の斜視図。
【図１（ｂ）】本発明の実施形態に係る格子状構造体と、その内部に設置された照明具の斜視図。
【図２（ａ）】本発明に係る格子状構造体の斜視図。
【図２（ｂ）】本発明に係る照明カバーの斜視図。
【図３】本発明に係る載置型のＬＥＤ電球の斜視図。
【図４】プラスチック製柔軟性格子材の平面図。
【図５（ａ）】本発明の実施例に係る格子状構造体の斜視図。
【図５（ｂ）】本発明の実施例に係る照明カバーの斜視図。
【図５（ｃ）】本発明の実施例に係る行燈の照明消灯時における斜視写真図。
【図５（ｄ）】本発明の実施例に係る行燈の照明点灯時における斜視写真図。
【図６（ａ）】本発明の他の実施例に係る格子状構造体の斜視図。
【図６（ｂ）】本発明の他の実施例に係る照明カバーの斜視図。
【図６（ｃ）】本発明の他の実施例に係る並置した２つの行燈の照明消灯時における斜視写真図。
【図６（ｄ）】本発明の他の実施例に係る並置した２つの行燈の照明点灯時における斜視写真図。
【図７（ａ）】本発明の実施形態に係る行燈の照明消灯時における斜視写真図。
【図７（ｂ）】本発明の実施形態に係る行燈の照明点灯時における斜視写真図。
【図８（ａ）】本発明に係る行燈の和紙欠損部（透過口）から照明光が漏出する様子を撮影した写真図。
【図８（ｂ）】他の和紙欠損部（透過口）から照明光が漏出する様子を撮影した写真図。
【図８（ｃ）】更に他の和紙欠損部（透過口）から照明光が漏出する様子を撮影した写真図。
【図９（ａ）】本発明の更に他の実施例に係る行燈の照明消灯時における斜視写真図。
【図９（ｂ）】本発明の更に他の実施例に係る行燈の照明点灯時における斜視写真図。
【発明を実施するための形態】
【００２７】
以下、図面を参照しながら本発明に係る行燈の実施形態及び実施例について説明する。なお、以下各図面を通して同一の構成要素には同一の符号を使用するものとする。
【００２８】
本発明に係る行燈１は、図１（ａ）に示すように、照明カバー２の内部に、１又は複数の照明具３０が設置されて構成される。図１（ａ）において、点線で示す照明具３０は、図３に示す載置型のＬＥＤ電球３１である。また、図１（ｂ）は、和紙が漉かれて照明カバー２として完成する前の格子状構造体１０と、その内部に設置された照明具３０である。
［照明カバー］
【００２９】
図２（ａ）に示す格子状構造体１０は、格子骨１２が格子状に組まれて格子穴１４を有している。格子骨１２は、竹材やプラスチック、金属などの柔軟性のある細長の材料を用いるのが好ましいが、材質は特に限定されない。図４のように、市販のプラスチック製柔軟性格子材１００などを用いて形成してもよい。
【００３０】
図２（ｂ）に示す本発明に係る照明カバー２は、上記格子状構造体１０（図２（ａ））の表面及び／又は裏面に、厚さが不均一となるように和紙２０が漉かれて形成される。後述のように、本発明に係る照明カバー２の製造方法においては、和紙２０を格子状構造体１０の表面及び／又は裏面に漉く際に、和紙２０の局所的な厚さを意図的に制御することはせず、その自由な漉き方に任せるため、和紙２０の厚さは一定せず、「不均一」となる。
【００３１】
このような本発明の照明カバー２は、格子状構造体１０の表面及び／又は裏面に漉かれた和紙２０の厚さがランダムに変化することを特徴とする。ここで「ランダム」とは、一般に「不規則」あるいは「不作為」などと同義であるが、本明細書では、「和紙２０を格子状構造体１０の表面及び／又は裏面に漉く際に、和紙２０の局所的な厚さを意図的に制御することはせず、その自由な漉き方に任せるため厚さが「不均一」となり、和紙２０の濃淡（あるいは欠損）に作為性が表出しない」、という程の意味に用いる。
【００３２】
上述のように、照明カバー２において、格子状構造体１０の表面及び／又は裏面に漉かれた和紙２０の厚さがランダムに変化するが、厚さが０となって、和紙欠損部２２が形成されてもよい。この和紙欠損部２２は、ランダムに形成されて照明カバー２の表面に散在し、その内部に設置した照明具３０が点灯した際に、透光口として機能する。
［行燈］
【００３３】
以上説明したように、本発明に係る行燈１は、上記照明カバー２の内部に、１又は複数の照明具３０が設置され、照明カバー２において、格子状構造体１０の表面及び／又は裏面に漉かれた和紙２０の厚さがランダムに変化することを特徴とする。あるいは、格子状構造体１０の表面及び／又は裏面に漉かれた和紙２０の厚さがランダムに変化するとともに、厚さ０となる和紙欠損部２２が透光口として照明カバー２に散在することを特徴とする。
【００３４】
以下に、本発明に係る照明カバー２及び行燈1の製造方法について説明する。
［照明カバーおよび行燈の製造方法］
【００３５】
本発明に係る照明カバー２の製造方法は、
（１）格子状構造体１０を準備するステップと、
（２） 和紙２０の原料繊維が打解されて水中に遊離分散された容器を準備するステップと、
（３）格子状構造体１０を容器の水中に潜らせ、水中に遊離分散された原料繊維を少なくとも２回掬って、格子状構造体１０の表面及び／又は裏面に和紙２０を漉くステップと、
（４）格子状構造体１０の表面及び／又は裏面に漉かれた和紙２０を乾燥させるステップと、を含む。
【００３６】
このように、本発明に係る照明カバー２は、格子状構造体１０を、紙の原料繊維を水中に遊離分散させた容器の水中に潜らせ、この原料繊維を自由に数回（２回以上）掬って、その表面及び／又は裏面に和紙を漉くため、和紙の厚さが特に格子穴１４で不均一となる。原料繊維を掬う回数は２回以上とし、５〜６回までが好ましいが、原料繊維の分散濃度や掬う速さにも依存するため特に限定されるわけではない。掬う回数を変えることで和紙の平均厚さを調整することができる。
【００３７】
また、格子状構造体１０による原料繊維の掬い方は任意であり、掬う速さや掬い方などに変化を与えることで、製造ごとに異なる趣を持ったグラデーション模様の照明カバー２を製造することができ、和紙の厚さが０となる和紙欠損部２２を生成させることもできる。
【００３８】
すなわち、容器中の紙の原料繊維の濃度を調整したり、格子状構造体１０で原料繊維を掬う回数や掬う方向、速さなどを変化させることにより、その表面及び／又は裏面に漉かれる和紙の局所的な厚さを様々に変化させることができる。このため和紙の厚さがランダムに変化し、あるいは和紙欠損部２２による透過口が散在して、自然なグラデーション模様を自動的に創出することができる。また、格子状構造体１０の表面及び／又は裏面に漉かれるグラデーション模様ないし和紙欠損部２２（透過口）の配置を、作品（照明カバー２）ごとに変化させることができる。
【００３９】
また、上記格子状構造体１０は、市販のプラスチック製柔軟性格子材１００を適当に切り取り、これを曲げたり組み合わせたり、接着剤等で接着させ、あるいは紐やバンド等で縛るなどして、自由な形状に形成することができる。格子状構造体１０を形成する材料は、上記のように特に限定されず、細い竹材や金属片を変形等させて組み合わせ、様々な形状の格子を形成したり、異なる材料を組み合わせたり、又は、異なる形状の格子を組み合わせて構成してもよく、その他の材料を用いて、少なくとも一部に格子穴を有する格子状構造体１０を形成してもよい。またその形状と大きさは、照明３０を内包できれば特に限定されない。更に、格子穴１４の大きさも特に限定されない。
【００４０】
また、格子状構造体１０の表面及び／又は裏面に漉かれる和紙の原料繊維は、繊維の長さが分散している楮が望ましい。楮の繊維は、１〜２ｃｍから５〜６ｃｍの長さの繊維が適当に分散しており、格子状構造体１０の表面等に絡みやすいためである。しかし、格子状構造体１０の材質や格子穴１４の大きさによっては他の原料繊維を用いることも可能であり、和紙の原料繊維の種類は特に限定されない。
【００４１】
このような格子状構造体１０の製造方法は、上記照明カバー２の製造方法のステップ（１）に含まれる。すなわち、
（１）格子状構造体１０を準備するステップは、
（１−１）プラスチック製の柔軟性格子材１００又は竹材などの細長の材料を準備するステップと、
（１−２）柔軟性格子材１００又は竹材を用いて格子状構造体１０を形成するステップと、
を含む。
【００４２】
格子状構造体１０は、上記のように竹材や市販の柔軟性格子材１００などを組み合わせて、載置型、吊り下げ型、取り付け型など、種々の形状に組み立てることができ、自由な創作を楽しむことができる。
【００４３】
上記照明カバー２の製造方法で形成した照明カバー２を用いて、本発明に係る行燈１を構成することができる。すなわち、本発明に係る行燈１の製造方法は、
（１）照明具３０を準備するステップと、
（２）上記照明カバー２を準備するステップと、
（３）照明カバー２の内部に照明具３０を設置するするステップと、
を含む。
【００４４】
このような本発明に係る行燈１は、グラデーション模様による照明の自然な強弱に加えて、和紙欠損部２２による透過口が散在することにより、照明にアクセントや意外性等を付加することができる。
【００４５】
以下、本発明に係る行燈１について、更に実施例を用いて説明する。
【実施例１】
【００４６】
図７（ａ）、（ｂ）は、図１（ａ）に示す上記本発明に係る行燈１の実物を撮影した写真図である。このうち、図７（ａ）は、内部に設置したＬＥＤ電球３１（照明具３０）の消灯時における行燈１を撮影した写真図であり、図７（ｂ）は照明具３０を点灯した際の写真図である。
【００４７】
消灯時における行燈１は、図７（ａ）のように、特定のパターンを持たない和紙の濃淡によるグラデーション模様と、不規則な形状で格子穴１４に生成した和紙欠損部２２とが自然に配置された、インテリアないし装飾品として用いることができる。
【００４８】
また、点灯時における行燈１は、図７（ｂ）のように照明として機能するが、和紙を通して柔らかな光を醸し出し、和やかな雰囲気を持った和風インテリア照明具として用いることができる。和紙の厚さが不規則（ランダム）に変わるので、照明の強度もこれに応じて自然に変化し、また、和紙欠損部２２が図８（ａ）〜（ｃ）のように照明の透過口として機能して、照明に自然さやアクセントをつけることができる。
【００４９】
このように、本発明に係る行燈１は、格子状構造体１０による原料繊維の掬い方を様々に変えることで様々なパターンのグラデーション模様及び透過口を生成することができ、個々の行燈１が従来の照明では表現できなかったランダムで自然な雰囲気を醸し出す照明を創出することができる。
【実施例２】
【００５０】
実施例２に係る本発明の行燈１に係る格子状構造体１０は、図５（ａ）に示すように、市販のプラスチック製柔軟性格子材１０（図４）を丸めて接着剤で固定し、円筒状に形成した。この円筒状柔軟性格子材１０で水中に遊離分散された原料繊維を数回掬って、格子状構造体１０の表面及び／又は裏面に和紙２０を漉き、図５（ｂ）の照明カバー２を形成する。照明カバー２の内部に、１又は複数の照明具３０を載置して、行燈１を構成することができる。
【００５１】
図５（ｃ）は、照明消灯時における上記円筒状の行燈１の斜視写真図、図５（ｄ）は照明点灯時における行燈１の斜視写真図である。図５（ｃ）、（ｄ）の行燈１は、柔軟性格子材１０（図４）を円筒状に巻き、バンプラスチック製のバンド紐で固定して格子状構造体１０を形成し、原料繊維を掬って和紙を漉いて簡単に製造することができる。
【実施例３】
【００５２】
実施例３に係る本発明の行燈１に係る格子状構造体１０は、図６（ａ）に示すように、市販のプラスチック製柔軟性格子材１０（図４）を丸めた円筒形であるが、Ｖ字の切れ込みを形成し、上方に広がりを持たせ、プラスチック製バンド紐で固定した。この柔軟性格子材１０で水中に遊離分散された原料繊維を数回掬い、格子状構造体１０の表面及び／又は裏面に和紙２０を漉き、図６（ｂ）の照明カバー２を形成する。実施例１、２と同様、照明カバー２の内部に、１又は複数の照明具３０を載置して、行燈１を構成すればよい。
【００５３】
図６（ｃ）は、照明消灯時における上記行燈１の斜視写真図、図６（ｄ）は照明点灯時における行燈１の斜視写真図である。図６（ｃ）、（ｄ）のように、大きさの異なる行燈１を横に並置し、あるいは適所に配置することで、消灯時には異なる室内装飾性を創出し、照明時には変化に富んだ照明効果を楽しむことができる。
【実施例４】
【００５４】
図９（ａ）は、本発明の実施例４に係る照明カバーの照明消灯時における斜視写真図、図９（ｂ）は、本発明の実施例４に係る照明カバーの照明点灯時における斜視写真図である。本発明に係る行燈１は、本実施例のように、安価なプラスチック製柔軟性格子材１０やその他プラスチック製バンド紐、和紙製ひもなどを用いて、簡単に様々な形状の格子状構造体１０を製作することができ、自由に和紙の濃淡パターンや透過口の散在パターンを変化させることができ、製品ごとに異なる装飾性と照明効果を作出することができる。
【００５５】
以上、いくつかの実施例を列挙したが、本発明の行燈１は、格子状構造体１０の形状を様々に変えることができると共に、格子状構造体１０上に漉く和紙の濃淡パターンや透過口の散在パターンをランダムに変化させることができ、また、これらの行燈１を組み合わせる等して、様々な装飾効果と照明効果を演出することができる。
【００５６】
以上、本発明に係る行燈、格子状構造体およびこれらの製造方法について説明したが、本発明は上記実施形態及び実施例に限定されるものではない。
【００５７】
その他、本発明は、その主旨を逸脱しない範囲で当業者の知識に基づき種々の改良、修正、変更を加えた態様で実施できるものである。
【産業上の利用可能性】
【００５８】
本発明に係る行燈は、屋内で用いる照明として用いることができる。また、照明カバーの和紙に防水加工を施して、屋外照明として利用することもできる。
【符号の説明】
【００５９】
１：行燈
２：照明カバー
１０：格子状構造体
１２：格子骨
１４：格子穴
２０：和紙
２２：和紙欠損部（透光口）
３０：照明具
３１：ＬＥＤ電球
１００：柔軟性格子材
【図１（ａ）】
2019029242.tif 000003
【図１（ｂ）】
2019029242.tif 000004
【図２（ａ）】
2019029242.tif 000005
【図２（ｂ）】
2019029242.tif 000006
【図３】
2019029242.tif 000007
【図４】
2019029242.tif 000008
【図５（ａ）】
2019029242.tif 000009
【図５（ｂ）】
2019029242.tif 000010
【図５（ｃ）】
2019029242.tif 000011
【図５（ｄ）】
2019029242.tif 000012
【図６（ａ）】
2019029242.tif 000013
【図６（ｂ）】
2019029242.tif 000014
【図６（ｃ）】
2019029242.tif 000015
【図６（ｄ）】
2019029242.tif 000016
【図７（ａ）】
2019029242.tif 000017
【図７（ｂ）】
2019029242.tif 000018
【図８（ａ）】
2019029242.tif 000019
【図８（ｂ）】
2019029242.tif 000020
【図８（ｃ）】
2019029242.tif 000021
【図９（ａ）】
2019029242.tif 000022
【図９（ｂ）】
2019029242.tif 000023